(57)【特許請求の範囲】
【請求項１】
一列あたり‘ｎ’個のコンパートメントまたは小窩（１６）を有する支持片（１７）と協働するタブレット移送ドラムであって、
前記タブレット移送ドラムの表面上に円周方向にかつ軸方向に配置され、かつ、タブレットを受け取る支持片（１７）に存在する‘ｎ’個のコンパートメントまたは小窩（１６）と対応するように設けられた、既定数の台座部（２７）を含んでおり、
前記タブレットを保持する段階とタブレットを配送する段階とで、少なくとも一個が軸方向に異なる位置に配置される‘ｗ’個の保持・移送部材（２５，２６）からなる配列を有して、‘ｗ’は1よりも大きい有限数であり、
前記台座部（２７）は、前記‘ｗ’個の保持・移送部材（２５，２６）のそれぞれの表面上に設けられている
ことを特徴とする、タブレット移送ドラム。
【請求項２】
‘ｗ’が２に該当する場合において、繰り返し配列を構成する前記保持・移送部材（２５，２６）の数は２つである
ことを特徴とする請求項１に記載のタブレット移送ドラム。
【請求項３】
‘ｗ＝２’の場合に、前記保持・移送部材（２５，２６）の交互配列は、他の前記保持・移送部材（２６、２５）に対して軸方向に位置づけられ得る
ことを特徴とする請求項１または２に記載のタブレット移送ドラム。
【請求項４】
平行列に配置されかつそれぞれが少なくとも一つのタブレットを保持する既定数‘ｎ’個のコンパートメントまたは小窩（１６）を有する支持片（１７）上にタブレットを配送するための装置であって、
移送パイプを有する運搬装置（１３）と、上記請求項１〜３のうちのいずれか１項に記載の外部表面上に台座部（２７）が設けられたタブレット移送ドラム（１５）とを含み、
前記台座部（２７）は、少なくとも２つの異なる保持・移送部材（２５，２６）上に作られ、かつ、前記移送ドラムに対して周囲にかつ軸方向に配置されており、
前記保持・移送部材（２５，２６）は、前記タブレットを保持する段階と前記タブレットを配送する段階とで、少なくとも一個が軸方向に異なる位置に配置されることが可能であり、
前記少なくとも２つの保持・移送部材（２５，２６）は、一つのグループを構成している
ことを特徴とする装置。
【請求項５】
前記運搬装置（１３）は、整列経路からタブレットを受けて前記タブレットをタブレット移送ドラム（１５）に配送する移送パイプ（１９，２０）を含み、
前記移送パイプ（１９，２０）は、前記‘ｎ’に前記１よりも大きい有限数‘ｗ’を掛けた数である‘ｎｘｗ’個だけ存在する
ことを特徴とする請求項４に記載の装置。
【請求項６】
‘ｗ＝２’の場合に、前記経路の数は‘ｎｘ２’個と等しい
ことを特徴とする請求項５に記載の装置。
【請求項７】
‘ｎｘｗ’個のパイプ（１９，２０）と協働する‘ｎｘｗ’個の経路を形成する少なくとも１つの分離・準備・整列装置（１２）を含み、‘ｗ’は１よりも大きい有限数であり、
前記保持・移送部材（２５，２６）を有する移送ドラム（１５）と協働する前記移送パイプ（１９，２０）は、前記保持・移送部材が前記タブレットを保持する段階にあるときにおける前記台座部（２７）の軸方向位置に対応する位置で且つ前記移送ドラム（１５）の近傍に配置されており、
‘ｎ’個の前記小窩（１６）と対応するように配置された台座部（２７）を有する前記保持・移送部材（２５，２６）は、‘ｎ’個の台座部（２７）からなる列を複数有し、該複数の列と対応するように支持片（１７）には小窩（１６）の列が設けられている
ことを特徴とする、請求項４〜６のいずれか１項に記載の装置。
【請求項８】
前記分離・準備・整列装置（１２）の経路の数は、前記タブレットが配送される支持片（１７）に、連続しかつ整列された態様で存在するコンパートメントまたは小窩（１６）の数‘ｎ’に対して１よりも大きい有限数‘ｗ’を掛けた数である
ことを特徴する請求項７に記載の装置。
【請求項９】
‘ｗ＝２’の場合に、前記経路の数は‘ｎｘ２’個と等しい
ことを特徴とする請求項８に記載の装置。
【請求項１０】
経路が前記分離・準備・整列装置（１２）に存在し、かつ、移送パイプ（１９，２０）が‘ｎｘ２’個と等しい場合に、前記移送ドラム（１５）は、台座部（２７）が形成されている２種の保持・移送部材（２５，２６）の交互配列を円周方向に含み、その一方は他方に対して異なる軸方向位置に配置可能であり、
前記保持・移送部材（２５，２６）は、互いに対して角度的に間隔があけられている
ことを特徴とする請求項４〜９のいずれか１項に記載の装置。
【請求項１１】
前記移送ドラム（１５）は、該移送ドラム（１５）の回転中に、互いに対して軸方向にかつ選択的に前記保持・移送部材（２５，２６）を配置することができる位置決め部（３１）に関連付けられている
ことを特徴とする請求項４〜１０のいずれか１項に記載の装置。
【請求項１２】
前記移送パイプ（１９，２０）は、一直線上に配置されている
ことを特徴とする請求項４〜１１のいずれか１項に記載の装置。
【請求項１３】
少なくとも前記移送パイプの出口（１９、２０）は、並行する複数の直線上に配置されている
ことを特徴とする請求項４〜１１のいずれか１項に記載の装置。
【請求項１４】
前記移送パイプ（１９，２０）は、少なくとも２つの連続した前記保持・移送部材（２５，２６）にそれぞれ存在する台座部（２７）の対と対応する軸方向位置に配置されている
ことを特徴とする請求項１３に記載の装置。
【請求項１５】
タブレットを配送する方法であって、
前記タブレットを整列させる第１の段階と、
前記タブレットを運搬装置（１３）に配送する第２の段階と、
前記請求項１〜３のうちのいずれか１項に記載の移送ドラム（１５）によって前記タブレットを保持する第３の段階と、
支持片（１７）から形成され得る隣接するブリスターを形成するために、前記支持片（１７）上に整列された態様で存在する‘ｎ’個のコンパートメントまたは小窩（１６）中に前記タブレットを配置する第４の段階とを含み、
前記第１の段階及び前記第２の段階は、‘ｎｘｗ’個のタブレットを運搬することを提供する一方で、前記第３の段階は、連続する‘ｗ’回数において前記移送ドラム（１５）により、前記支持片（１７）に設けられた前記各小窩（１６）に対応する位置に整列された態様で連続して‘ｎ’個のタブレットを保持することを提供し、前記順序を繰り返すために‘ｗ’回後に戻るように各回‘ｎ’個の前記タブレットが連続するように行われ、前記第４の段階は、前記移送ドラム（１５）が‘ｗ’回数の間‘ｎ’個のタブレットを常時、前記支持片（１７）に存在する前記‘ｎ’個の隣接するコンパートメントまたは小窩に配送することを提供する
ことを特徴とする方法。
【請求項１６】
タブレットを配送する方法であって、
前記タブレットを整列させる第１の段階と、
前記タブレットを運搬装置（１３）に配送する第２の段階と、
前記請求項１〜３のうちのいずれか１項に記載の移送ドラム（１５）によって前記タブレットを保持する第３の段階と、
支持片（１７）から形成され得る隣接するブリスターを形成するために、前記支持片（１７）上に整列された態様で存在する‘ｎ’個のコンパートメントまたは小窩（１６）中に前記タブレットを配置する第４の段階とを含み、
前記第１の段階及び前記第２の段階は、‘ｎｘ２’個のタブレットを運搬することを提供し、前記タブレットは、前記支持片（１７）に前記各小窩（１６）が設けられているように設置されており、その一方で、前記第３の段階は、前記移送ドラム（１５）によって‘ｎ’個のタブレットからなる少なくとも二つのグループを同時に保持することを提供し、前記第４の段階は、前記支持片に対して常時‘ｎ’個のタブレットを配送することを提供する
ことを特徴とする方法。
【発明の詳細な説明】
【技術分野】
【０００１】
本発明は、ドラム及びタブレット配置のための装置に関するもので、例えば、ブリスターもしくはそれに類似したもののような適切な梱包手段に存在するコンパートメントもしくは小窩の中にタブレットを並べ配置することを提供する。
【０００２】
具体的に、本発明による装置は、タブレットを拾い、放って、運搬装置上にそれらを整列させ、また、位置決め手段とは、備えられた梱包手段の中に所望の手順で正確に配置するということである。
【０００３】
梱包手段の後続または以前の操作は、ここでは重要ではない。
【０００４】
ここ又以降において、説明や特許請求の範囲で述べる「タブレット」という言葉は、「固形製品」の表現にと同等であると理解するべきであり、また、タブレット、カプセル、ピル、ペッサリー、及び他の類似または比較可能な製品の両方、伸縮素材及び固形物の両方を含む。
【背景技術】
【０００５】
タブレット配置のための装置は、散らばっているタブレット貯蔵所からタブレットを拾い上げ、移送パイプを介して、例えば、後にブリスターが作られるよう支持片（帯鋼）上に作られた小窩のような梱包手段に存在する適切なコンパートメントにタブレットを正確に配置・供給する適切なドラム手段にタブレットを運ぶ、様々なタイプの運搬装置を含むことが知られている。
【０００６】
これら配置装置の生産性において、タブレット位置決めは移送パイプへのタブレット移送の最大速度によって左右され、その最大速度は、タブレットがサポート可能な摩耗、抵抗、過熱等の異なる要因によって制限されることが知られている。
【０００７】
また、生産性を向上させるために配置システムが提案されており、一連の操作で、２つかそれ以上の隣接するブリスター、または、幾つかの隣接するブリスターを得るために予めコンパートメントまたは小窩が形成された支持片ベアリングを同時に得られるもので支持片供給を可能にすることが知られている。
【０００８】
また、前記ブリスターは、タブレットの種類や大きさによって特徴づけられた小窩の数及び薬剤会社の技術的商業的要件や人体分布を持って、要望通りに異なる形状を持つことができることも知られている。
【０００９】
いずれにせよ、同時に供給できるブリスターの最大の数もまた、その装置の大きさや、タブレット位置決めのために小窩が作られた支持片によって確定される。
【発明の概要】
【発明が解決しようとする課題】
【００１０】
本発明の一つの目的は、移送パイプの中のタブレットの移動速度に関連する制限はそのままに、その装置の生産性を、数倍とはいかなくとも、少なくとも２倍にすることである。
【００１１】
本発明の別の目的は、小窩が作られた支持片のサイズ増大または装置のサイズを大きくすることを要することなく、その装置の生産性を向上させることである。
【００１２】
本発明の別の目的は、既に製造されている装置に、何の改良を必要とすることなく適応できるタブレットを配置装置及びドラムを実現することである。
【００１３】
本発明は、また、ブリスターの生産性の故及び対応する小窩の内部への通常のタブレット配送速度で、常に２倍もしくは数倍の利点を得ながら、既に製造されている装置に適応され得る。
【００１４】
本出願人は、技術最先端の欠点を克服するために、そしてこれらまたはその他の目的や利点を得るために本発明を考案し、テストし、そして具体化した。
【課題を解決するための手段】
【００１５】
本発明は４つに設定され、従属請求項がその発明や可変の主な発想の他の特徴を述べる一方、独立請求項に特徴づけられる。
【００１６】
タブレット配置装置は、タブレット配列のための‘ｎ’の経路を有するどんな種類の整列装置からでもなることが知られており、よく知られている運搬装置は、タブレットが搬送されることを介して‘ｎ’の移送パイプを持って提供され、どんな場合でも、少なくとも‘ｎ’の台座部を持って提供される移送ドラムの状態にすることができて、それぞれは少なくとも１タブレットが収容できる
前記移送ドラムは、どんな場合でも、組織的に設けられた‘ｎ’のコンパートメントまたは小窩内に、若しくは後に作られるブリスターのための支持片上のラインに、順次タブレットを降ろす。
【００１７】
本発明の特性において、常にドラムによって満たされているべき支持片内でラインや列を構成するために、‘ｎ’のコンパートメントまたは小窩が組織的に存在するなら、整列経路及び移送パイプは同じ数‘ｗｘｎ’に存在する。その乗数‘ｗ’は生産性の２倍、３倍、４倍若しくはそれ以上の向上を特定する。今後、説明の簡潔化のため、‘ｎｘ２’の場合のみを扱うものとし、ここで‘ｗ’は２に等しい。
【００１８】
この‘ｎｘ２’の場合、タブレットは、整列されてから移送され常に移送ドラムから拾い上げられるように配置され、また、タブレットは、ドラムがその都度拾い上げ支持片に配送するそれらの二倍である。
【００１９】
本発明において、配置経路は、別個または一つ以上の分離装置に設けられてもよい。
【００２０】
本発明のもう一つの特徴において、移送ドラムは、外周に保持部及び移送部材の第一グループ、そして‘ｎｘ２’の場合、どちらにも台座部が形成された保持部及び移送部材の第二グループを含む。両方のグループは、常に‘ｎ’のタブレットを拾い上げ、配送する。
【００２１】
前記例‘ｎｘ２’の場合、保持部と移送部材の二つのグループがあり、それらがグループを構成するとすれば、それらは互いを保ちながら軸方向に位置づけできるものであり、前記保持部と移送部材は区間で離されていて、有限群を構成する。説明の簡潔化のため、以降、固定保持部要素を第１保持部及び移送部材として、または可動保持部を第２保持部及び移送部材として表す。
【００２２】
このように、タブレットが移送パイプから拾い上げられたとき（‘ｎｘ２’の場合）、例えば固定だと考えられる保持部や移送部材の第１グループは、‘ｎ’のタブレットを奇数（もしくは偶数）の集荷パイプから拾い上げる一方、可動保持部と移送部材の第２グループは、‘ｎ’のタブレットを偶数（もしくは奇数）の集荷パイプから拾い上げる。
【００２３】
ブリスター、もしくは支持片と隣接している複数のブリスターの最終構造が全部で‘ｎ’個の小窩またはコンパートメントの行若しくは列を持っているということは明らかで、例えば２列、前記の保持部と移送部材は、ブリスター内で台座部の列がそれらと正反射のように、タブレットに対応したｎ’個の台座部の２列を持つことになる。
【００２４】
移送パイプは、タブレットの大きさによって、または、小窩の間隔を保ったタブレットの大きさによって、もしくはデザインの特徴によって、間隔を置いた２つの平行線上（‘ｎｘ２’の場合）に、お互い隣接及び整列することができる
集荷パイプからそのタブレットが拾い上げられるとき、前記の保持部と移送部材はねじれた状態（移送ドラムの軸方向に）で配置される、また、その拾い上げられたタブレットを受け取るための各パイプと関連する。
【００２５】
移送している間、すべての保持部と移送部材は平行線上に交互に配置につき、また、タブレットが入っていない支持片の中の小窩と連携する。
【００２６】
タブレットは既知の方法でくぼみを用いて保持部と移送部材の台座部に付着する、また噴流圧を用いて支持片の中の小窩に降ろされ配送されることも知られている。
【００２７】
一つの変形実施例によると、本発明によるタブレット配置のための装置は、位置づけ手段を含んでおり、常に移送ドラムの円周方向に沿って移送ドラムが回転している間、互に可動保持部及び移送部材を軸方向に、かつ選択的に位置づけることができる。
【００２８】
前記位置づけ手段は、機械的、電気的、空気圧、または磁気要素、たとえばカム機構、磁石、空気圧式アクチュエータもしくはそのようなものであり得る。
【００２９】
本発明はまた、タブレット配置のための方法にもまた関連する。‘ｎｘ２’経路（‘ｗ＝２’の場合）でタブレットを配送することを順次可能にする第１段階を含み、第２段階で‘ｎ’の数でそれらを配送すること、また、‘ｎｘ２’の数で移送パイプを用いてそれらを搬送し、移送ドラムへの第３段階でそれらの同時沈着のための‘ｎ’個の小窩を持つ支持片へ常に配送することを含む。
【００３０】
前記第３段階は、‘ｎ’（例えば固定要素を用いた）+‘ｎ’（例えば可動要素を用いた）の数のタブレットを移送ドラムによって交互に引きあげる作業からなる。一方、第４段階は、常に支持片上にある‘ｎ’の台座部内に、固定要素と可動要素を交互にして、常に‘ｎ’タブレットを降ろすことをする。
【００３１】
第３段階は、タブレットが固定保持部と移送部材の台座部に交互に積まれる第１補助段階と、別の‘ｎ’タブレットが可動保持部と移送部材の台座部に積まれる第２補助段階から成る。
【００３２】
本発明において、その補助ステップはお互い交互になされる。
【００３３】
本発明において、例えば偶数配置された第１パイプは固定保持部と移送部材のグループを供給する一方で、例えば奇数配置された第２パイプは可動保持部と移送部材の第２グループを供給する、よってパイプ間をタブレットが通るスピードを上げることなく生産性をあげることができる。
【００３４】
第４段階で、さらに、ドラムの回転中に、固定及び可動要素は交互配置から平行配置へ通過する、そしてこの配置では固定、可動要素がタブレットを小窩へ配送し、そしてその時、交互配置へ戻るという操作を繰り返す。
【発明の効果】
【００３５】
変形例によると、前記パイプは一つ、また次の一つと繋がっている前期保持部と移送部材と連携する。この方法だと、パイプは同時にドラムに２つの保持部と移送部材を供給することができる。
【００３６】
前期保持部と移送部材はタブレットをつかむとき、タブレットの種類によって平行にもしくは軸方向に交互になりうる。
【００３７】
変形例によると、前期パイプは異なったタブレットを供給される、よって、例えば２種類のタブレットブリスター容器に達することができる。
【図面の簡単な説明】
【００３８】
これらと本発明の他の特徴は、非制限的な例として与えられた‘ｎｘ２’の状態のために提案された場合における実施形態の優先的形成の説明を、添付された図の参照と共に辿ることで表れる。
【図１】図１は、本発明においてのタブレット分配装置の配置図である。
【図２】図２は、図１の側面図の略図である。
【図３】図３は、図１の平面の詳細の略図である。
【図４】図４は、図３の変異の略図である。
【図５】図５は、図１の詳細の展開図である。
【図６】図６は、図１の詳細の断面図の略図である。
【図７】図７は、図６の変異の断面図の略図である。
【図８】図８は、本発明の変異の断面図の略図である。
【００３９】
簡易化のため、可能であれば、図面上で実質上同一である共通要素を識別するために同じ参照番号が使われることがある。なお一つの実施形態の要素と特徴は、便宜的に追加の説明なしに他の実施形態に盛り込まれることとする。
【発明を実施するための形態】
【００４０】
図１を参照すると、本開発におけるタブレット配置装置（１０）は、貯蔵部（１１）から知られている種類の、分離、準備、整列装置（１２）を用いてタブレットを受け取ることができる運搬装置（１３）から成る。運搬装置（１３）と連携して、運搬装置（１３）からタブレットを受け取り、それらを支持片（１７）の小窩（１６）の内側に存在すると、既知の所望の方法で、整理する働きを持つ回転移送ドラム（１５）がある。小窩（１６）の‘ｎ’の数、例えば８＋８の場合は、最後の２つ、もしくはそれ以上の隣接したブリスターで定着するのにふさわしい整理された平行の列にある支持片（１７）で作られた。今後みられるケースは、二つのブリスターの支持片（１７）の幅から、２つの平行な列に各８粒のタブレットを持って得られる。
【００４１】
小窩（１６）は所定の縦幅Ｂを持ち、また、知られた種類の後作業はタブレットを含んだ終了されたブリスターを得られるであろう。
【００４２】
分別、整列装置（１２）は、いかなる種類のものであり、そして、運搬装置（１３）に規則的な方法でそれらを可能な状態にするために、所望の方法で‘ｎｘ２’経路（３２）にタブレットを分別し調節する。
【００４３】
与えられた前期の例において、‘ｎ’タブレットは８ｘ２（この８は二つの隣接したブリスターがある列ごとのタブレットの数である）の運搬装置１３によって拾い上げられる。
【００４４】
搬送装置（１３）（図２及び図３）は、したがって、‘ｎ’パイプと‘ｎ’移送パイプ（２０）、つまり全部で（８ｘ８）ｘ２のパイプを備えている、そしてそれは各ブリスターの8つのパイプと等しい。
【００４５】
‘ｎｘ２’の場合、したがって個別分配ラインに沿って隣接した一つのラインによってお互いに交互に配置された総数（８+８）の第一パイプ１９があり、また、（８+８）の数で第２パイプ（２０）が存在する（図３）。
【００４６】
図３で示すように、第１パイプ（１９）は偶数配置を覆い、一方で第２パイプ（２０）は奇数配置を覆う。
【００４７】
本開発において、分離、準備、整列装置（１２）は（８+８）ｘ２、つまりパイプ（１９、２０）がある分‘ｎｘ２’個の配列経路を供給することは言うまでもない。
【００４８】
あるいは、例えば、支持片のライン上に小窩があるだけの８+８個のタブレットを送る度、二つの分離、準備及び整列装置（１２）があってもよい。
【００４９】
前記経路とパイプ（１９，２０）の形状と大きさは、幾何学的な構造の働きと、そのパイプの中に移動させ、通らせる必要があるタブレットの種類である。
【００５０】
前記経路とパイプ（１９，２０）は十分に知られている。
【００５１】
前記パイプ（１９，２０）はタブレットをそのパイプの中に進ませるために、垂直若しくはほぼ垂直な方向に効率よく配置される。
【００５２】
前記ドラム（１５）にタブレットが降ろされる地点の近くの前記のパイプ（１９，２０）の終点は、部分的または完全に閉じることができ、若しくは常に開けておくようにすることができる。それはつまり、潜在的生産を変えることができるということである。
【００５３】
搬送装置（１３）の構造変形において（図４）、それぞれ総数で８+８個あり、‘ｎｘ２’の場合、したがって、３２個ある第１パイプ（１９）、第２パイプ（２０）は、区別された二つの分布線、たとえば平行線に個々に配置される。この構造は、タブレットの大きさ又/若しくは小窩（１６）の長手方向のピッチＢが少なくとも移送ドラム１５との連結区域の第１及び第２パイプ（１９，２０）の重複を引き起こした時に、有利である。
【００５４】
移送ドラム（１５）は、駆動部（２３）によって周知の方法で回転するように作られた回転軸（X）の周りを回転している円筒体（２２）によって成っている。
【００５５】
円筒体（２２）の外部円周は補正保持部及び移送部材（２５）の第１グループと携帯保持部と移送部材（２６）の第２グループで供給される。
【００５６】
前期可動保持部及び移送部材（２６）は第一保持部の位置と第二運送位置に平行軸から回転軸に沿って軸方向に相互に位置づけることができる。
【００５７】
前期固定保持部及び移送部材（２５）は、前期の可動保持部及び移送部材（２６）に対して角度を相互に配置されている、そしてどちらもタブレットが‘ｎ’、つまりそのときの８+８のタブレットに適応できるようにするための台座部（２７）の同一する部分で供給される。
【００５８】
ここに例で示すように、各保持部と移送部材は二つの‘ｎ’の台座部（２７）の列を持っており、各列は、小窩が支持片上に整理されたように設けられる。
【００５９】
特に、前期の固定保持部と移送部材（２５）の台座部（２７）は、第１パイプ（１９）から届いたタブレットを受け取ることができる一方で、可動保持部及び移送部材（２６）の台座部（２７）は第２パイプ（２０）から届いたタブレットを受け取ることができる。
【００６０】
前期ドラム（１５）はまた、周知の方法でタブレットが移動している間対応する台座部（２７）にタブレットを付着させるために下降手段（３５）を、対応小窩（１６）にタブレットを下ろすために圧力手段（３６）を、そして一度タブレットが下ろされた台座部（２７）を洗浄するために空気圧タイプの洗浄手段（３７）を備えている。
【００６１】
第２可動保持部及び移送部材（２６）に存在する台座部（２７）にタブレットを投入する前に、例が示すように、軸位置づけ装置（３１）は前期パイプの半分の幅と等しい距離で軸方向に前期移送部材（２６）を配置する働きを持つことによって台座部（２７）は搬送装置（１３）の第２パイプ（２０）で整列される。
【００６２】
図５は、タブレットが積まれ（図面では大文字Cで表示）、降ろされる（大文字Sで表示）区域である二つの限定位置に近接した固定保持部及び移送部材（２５）と前記保持部及び移送部材（２６）の配置を示す前記ドラム（１５）の働きの図面的かつ、部分的な説明を示す。
【００６３】
例に示すように、集積区域（C）では、可動保持部及び移送部材（２６）の台座部（２７）は固定保持部及び移送部材（２５）の台座部（２７）を置いたままで、半分のピッチで交互に配置される。
【００６４】
反対に、解放区域では、固定保持部及び移送部材（２５）と可動保持部及び移送部材（２６）の台座部（２７）はお互いに配置される。
【００６５】
第１実施形態において（図６）、固定保持部及び移送部材（２５）それぞれは、後者を軸方向にスライドさせるための可動保持部及び移送部材（２６）に作られ第２ガイド（３０）に連結することができる第１ガイド（２９）とともに供給される。この場合、固定保持部及び移送部材（２５）は前記ドラム（１５）の円筒体（２２）と一体成型で作られる。
【００６６】
他の実施形態では（図７）、前記保持部及び移送部材（２５）は前記ドラム（１５）の円筒体（２２）と別体で形成され、また、その後周知の接続方法で円筒体（２２）と接続される。
【００６７】
例で与えられこれまで説明されたタブレット分配装置は、以下のように機能する。
【００６８】
容器に入っていないタブレットは貯蔵庫（１１）に導入され、そして分離、準備、整列装置（１２）は、タブレットを例の‘３２’経路にある‘ｎｘ２’経路に、‘ｎｘ２’個のパイプ（１９、２０）を有する搬送装置（１３）にそれらを導入できる状態にするために配置する。
【００６９】
前記パイプ（１９、２０）は‘ｎ’個、つまり、一度に８+８個のタブレットを移送ドラム（１５）、つまり支持片上のすべての列があるだけに運ぶ。
【００７０】
固定保持部及び移送部材（２５、２６）がそれぞれのパイプ（１９、２０）と連結しているとき、台座部（２７）は常にそれぞれのパイプ（１９、２０）と連結し、また、前記タブレットは次第に前記保持部に解放される。
【００７１】
ここに与えられた例において、保持部及び移送部材（２５，２６）はそれぞれ、支持片（１７）上に小窩（１６）の８+８個列の２列の配置を再生するために２つの８+８個の台座部（２７）を有する。
【００７２】
前記ドラムの回転中、配置装置（３１）は、相互にそして軸方向に、可動保持部及び移送部材（２６）を、選択的にタブレット回収位置及びタブレット配送位置に配置する。
【００７３】
図８は、同時に２つの保持部及び移送部材を送るために、２つの個別の隣接する前記保持部及び移送部材（２５、２６）に存在する台座部（２７）とそれぞれに協働するパイプ（１９、２０）の働きの変形を示す。
【００７４】
この場合、前記保持部及び移送部材（２５、２６）はまた固定されてもよい。
【００７５】
さらに、前記パイプ（１９、２０）は、異なった分離、準備、配置装置（１２）の分配経路（２０ａ）によって送られうる。
【００７６】
修正箇所又／若しくは追加点は、本発明の分野及び範囲から逸脱することなく、今までに説明されたタブレット配置のための装置に作成されるであろうことは明らかである。
【００７７】
本発明は、いくつかの具体的な例を参照しながら説明してきたが、同業者であれば、特許請求の範囲に記載され、したがって、すべてによって定義された保護分野の範囲以内に至る特性を有する、タブレット配置のための装置のその他多くの同等の形態を容易に実現することができる。
【図１】
0006022445.tif 000002
【図２】
0006022445.tif 000003
【図３】
0006022445.tif 000004
【図４】
0006022445.tif 000005
【図５】
0006022445.tif 000006
【図６】
0006022445.tif 000007
【図７】
0006022445.tif 000008
【図８】
0006022445.tif 000009